(57)【要約】【課題】  本発明はコネクタ装置に関し、クロストークノイズの発生の抑制及びインピーダンスの整合を実現することを目的とする。【解決手段】  プラグコネクタ２０Ｖとジャックコネクタ３０Ｖとよりなる。プラグコネクタ２０Ｖは、各プラグコンタクト対２３毎に一対の半円筒形状のグランドコンタクト２５Ｖ１、２５Ｖ２を有する。ジャックコネクタ３０Ｖのジャックコンタクトモジュール４０Ｖは、導線部対４５Ｖ毎に半円筒形状のシールド部材１０２Ａ、１０２Ｂを有する。【選択図】  図１４
2005190820.tif 000002
【特許請求の範囲】
【請求項１】
列方向及び行方向に並んで格子状に整列している複数の第１のコンタクトと、各第１のコンタクトの列方向上の一側と行方向上の一側とを覆うように配置してある複数のＬ字形状のグランドコンタクトとを有する第１のコネクタと、
格子状に整列している複数の第２のコンタクトを有する第２のコネクタとよりなり、
該第１のコネクタと該第２のコネクタとが接続されると、該第１のコンタクトと該第２のコンタクトとが電気的に接続されるコネクタ装置において、
上記第１のコネクタは、上記Ｌ字形状のグランドコンタクトが、第１のコンタクトの一列毎に交互に列方向上反対の側を覆うように、或いは、第１のコンタクトの一行毎に交互に行方向上反対の側を覆うように配置してある構成としたことを特徴とするコネクタ装置。
【請求項２】
列方向及び行方向に並んで格子状に整列している複数の第１のコンタクトを有する第１のコネクタと、
格子状に整列している複数の第２のコンタクトを有する第２のコネクタとよりなり、
該第１のコネクタと該第２のコネクタとが接続されると、該第１のコンタクトと該第２のコンタクトとが電気的に接続されるコネクタ装置において、
上記第１のコネクタは、各第１のコンタクトをその両側から囲むように配置された、一対の半円形状又はこれに似た形状のグランドコンタクトを有する構成としたことを特徴とするコネクタ装置。
【請求項３】
列方向及び行方向に並んで格子状に整列している複数の第１のコンタクトを有する第１のコネクタと、
格子状に整列している複数の第２のコンタクトと該第２のコンタクトから延在する複数の導線部とを有する第２のコネクタとよりなり、
該第１のコネクタと該第２のコネクタとが接続されると、該第１のコンタクトと該第２のコンタクトとが電気的に接続されるコネクタ装置において、
上記第１のコネクタは、各第１のコンタクトをその両側から囲むように配置された、一対の半円形状又はこれに似た形状のグランドコンタクトを有し、
上記第２のコネクタは、各導線部を、その両側から囲むように配置された、一対の半円形状又はこれに似た形状のシールド部材を有する構成としたことを特徴とするコネクタ装置。
【請求項４】
列方向及び行方向に並んで格子状に整列している複数の第１のコンタクトを有する第１のコネクタと、
格子状に整列している複数の第２のコンタクトと該第２のコンタクトから延在する複数の導線部とを有する第２のコネクタとよりなり、
該第１のコネクタと該第２のコネクタとが接続されると、該第１のコンタクトと該第２のコンタクトとが電気的に接続されるコネクタ装置において、
上記第１のコネクタは、各第１のコンタクトをその両側から囲むように配置された、一対の半円形状又はこれに似た形状のグランドコンタクトを有し、
上記第２のコネクタは、半円形状又はこれに似た形状の複数のシールド部材が上記導線部の配置に対応した配置でインサートモールドしてあるシールドモジュールを有し、該シールドモジュールの各シールド部材が各導線部をその両側から囲む構成としたことを特徴とするコネクタ装置。
【請求項５】
請求項１乃至請求項４のうち何れか一項記載のコネクタ装置において、
上記第１のコンタクトは、対をなす二つのコンタクトよりなり、
上記第２のコンタクトは、対をなす二つのコンタクトよりなり、
上記導線部は、対をなす二つの導線部よりなる構成としたことを特徴とするコネクタ装置。
【発明の詳細な説明】
【技術分野】
【０００１】
本発明はコネクタ装置に係り、特に電算機等においてバックプレーンに対して回路基板を垂直の姿勢で電気的に接続するのに使用されるコネクタ装置に関する。
【背景技術】
【０００２】
電算機等においてデータを伝送する方式として、平衡伝送方式が多く採用されつつある。平衡伝送方式は、データごとに対をなす二本の電線を使用して、伝送すべき＋信号とこの＋信号とは大きさが等しく逆向きの−信号とを同時に伝送し、＋信号と−信号とのレベルの差を情報として認識する方式であり、通常の伝送方式に比べてノイズの影響を受けにくいという利点を有している。
【０００３】
近年、電算機等の性能の向上に伴なって信号の伝送速度が例えば２．５ＧＨｚから５〜１０ＧＨｚへと高速になる傾向にあり、平衡伝送方式を採用している場合にあっても、クロストークノイズ及びインピーダンスの整合をより厳密に考慮することが必要となってきている。
【０００４】
図１は従来のコネクタ装置１０を示す。コネクタ装置１０は、プラグコネクタ２０とジャックコネクタ３０とよりなる。図２は、プラグコネクタ２０とジャックコネクタ３０との対向する面の構造を概略的に示す。Ｘ１−Ｘ２はコネクタ２０、３０の長手方向（コンタクト対の行の方向）、Ｚ１−Ｚ２はコネクタ２０、３０の高さ方向（コンタクト対の列の方向）、Ｙ１−Ｙ２はジャックコネクタ３０のプラグコネクタ２０への接続の方向である。プラグコネクタ２０はバックプレーン３００に実装してあり、ジャックコネクタ３０は回路基板（ドータボード）４００の端に実装してある。ジャックコネクタ３０とプラグコネクタ２０とが接続されて、回路基板４００がバックプレーン３００とコネクタ装置１０によって接続される。
【０００５】
プラグコネクタ２０は、図３（Ａ），（Ｂ）及び図４に併せて示すように、断面がＵ字形のハウジング２１に、正負対称波形の信号を伝えるためのプラグコンタクト２２Ａ、２２Ｂよりなるプラグコンタクト対２３が列方向、行方向に並んで格子状に整列しており、且つ、各プラグコンタクト対２３毎に逆Ｌ字形状のグランドコンタクト２５が設けてある構成である。プラグコンタクト２２Ａ、２２Ｂはコンタクト対の列の方向に並んでいる。グランドコンタクト２５は、水平板部２５ａと垂直板部２５ｂとよりなり、プラグコンタクト対２３のＸ１側とＺ１側を覆っている。水平板部２５ａはハウジング２１の裏側まで延在しており、端子部となっている。２７−１〜２７−４は第１〜４の列であり、２８−１〜２８−４は第１〜４の行である。
【０００６】
ジャックコネクタ３０は、図１、図２、図５に示すように、合成樹脂製のハウジング３１に複数のジャックコンタクトモジュール４０とシールド板５０とがＸ１−Ｘ２方向に交互に並んで組み込んである構成である。
【０００７】
図２及び図５に示すように、ハウジング３１には、プラグコンタクト２２Ａ、２２Ｂに対応する開口３２Ａ、３２Ｂとグランドコンタクト２５に対応する逆Ｌ字形状のスリット３３が形成してある。
【０００８】
ジャックコンタクトモジュール４０は、図１に示すように、略四角板形状の合成樹脂製の本体４１に、ジャックコンタクト部品４２Ａ、４２Ｂよりなるプラグコンタクト部品対４３が四つインサートモールドしてある構成である。ジャックコンタクト部品４２Ａ、４２Ｂは、導線部４２Ａ１、４２Ｂ１と、この一端のフォーク形状のジャックコンタクト４２Ａ２、４２Ｂ２と、他端の端子部４２Ａ３、４２Ｂ３とよりなる。ジャックコンタクト４２Ａ２、４２Ｂ２は本体４１のＹ１側の辺４１ａに突き出ており、端子部４２Ａ３、４２Ｂ３は本体４１の底辺４１ｂに突き出ている。ジャックコンタクト４２Ａ２、４２Ｂ２がジャックコンタクト対４４を構成する。導線部４２Ａ１、４２Ｂ１が導線部対４５を構成する。
【０００９】
シールド板５０は、Ｙ１側の辺５０ａ側に舌状のグランドコンタクト片５１を有し、底辺５０ｂ側に端子部５２を有する。
【００１０】
ジャックコンタクト４２Ａ２、４２Ｂ２は夫々開口３２Ａ、３２Ｂに対向している。シールド片５１は、ジャックコンタクト４２Ａ２、４２Ｂ２に対してＸ２側に位置している。
【００１１】
開口３２Ａ、３２Ｂ、スリット３３、ジャックコンタクト４２Ａ２、４２Ｂ２（ジャックコンタクト対４４）、シールド片５１は、列方向、行方向に並んで格子状に整列している。
【００１２】
３７−１〜３７−４は第１〜４の列であり、３８−１〜３８−４は第１〜４の行である。
【００１３】
プラグコネクタ２０とジャックコネクタ３０とは、ハウジング３１がハウジング２１内に嵌合し、図６及び図７に示すように、プラグコンタクト２２Ａ、２２Ｂが開口３２Ａ、３２Ｂを貫通してハウジング３１の内部に到ってジャックコンタクト４２Ａ２、４２Ｂ２と嵌合して電気的に接続される。図７中、６０Ａ，６０Ｂは電気的接続部であり、６１は電気的接続部対である。グランドコンタクト２５がスリット３３を貫通してハウジング３１の内部に到って、垂直板部２５ｂがジャックコンタクト４２Ａ２、４２Ｂ２及び電気的接続部６０Ａ，６０ＢのＸ１側に対向し、水平板部２５ａがジャックコンタクト４２Ａ２及び電気的接続部６０ＡのＺ１側に対向する。
【００１４】
従来の別のジャックコネクタは、ハウジング３１に図８及び図９に示すジャックコンタクトモジュール４０Ａを並べて組み込んだ構成である。ジャックコンタクトモジュール４０Ａは、図１に示すジャックコンタクトモジュール４０にシールド部材７０、７１を設けた構成である。シールド部材７０、７１は、本体４１の両面側に取り付けてあり、導線部４２Ａ１、４２Ｂ１（導線部対４５）を覆っている。シールド部材７０、７１は一側に係合用の片７０ａ、７１ａを有する形状であり、係合用片７０ａ、７１ａを本体４１の溝部７２，７３に係合させて取り付けてある。シールド部材７０、７１は、導線部対４５毎に設けてある。
【特許文献１】特開平５−２７５１３９号公報
【発明の開示】
【発明が解決しようとする課題】
【００１５】
上記の図１乃至図７に示すコネクタ装置１０において、プラグコネクタ２０とジャックコネクタ３０とが接続された状態における電気的接続部対６１に対するシールドの状態についてみてみる。
【００１６】
逆Ｌ字形状のグランドコンタクト２５は、各列について同じ向きであり、シールド片５１は垂直にだけ配置してある。よって、図７に示すように、各列のＺ２側の端は、シールドは開放状態にあり、電気的接続対６０−１を伝送される第１の信号と、電気的接続対６０−２を伝送される第２の信号との間で、矢印Ｃで示すようにクロストークが起こり、第１、２の信号にクロストークノイズが発生する虞れがあった。
【００１７】
なお、プラグコンタクト対２３の行間のピッチＰ広くすると、クロストークは起き難くなるけれども、コネクタ装置１０のサイズが大きくなってしまい、好ましくない。
【００１８】
また、ジャックコンタクトモジュール４０は、隣り合うジャックコンタクト対４４の間がシールドされていないため、信号がジャックコンタクトモジュール４０の導線部４２Ａ１、４２Ｂ１を伝送されている区間においても、隣合う信号の間でクロストークが起こり、クロストークノイズが発生する虞れがあった。
【００１９】
なお、図８及び図９に示すジャックコンタクトモジュール４０Ａにあっては、各導線部対４５毎にシールドされてはいるけれども、シールド部材７０、７１の形状からして、シールド効果は十分ではなかった。
【００２０】
また、図７において、グランドコンタクト２５及びシールド片５１は四角形状をなしており、プラグコンタクト２２Ａ及びジャックコンタクト４２Ａ２からのグランドコンタクト２５及びシールド片５１の内側面までの距離ａ，ｂ，ｃは、等距離ではなく、距離の差は大きい。このため、インピーダンスの整合を高めることが困難であった。
【００２１】
本発明は、上記の点に鑑みなされたものであり、クロストークノイズの抑制及びインピーダンスの精度良い整合を実現できるコネクタ装置を提供することを目的とする。
【課題を解決するための手段】
【００２２】
そこで、上記課題を解決するため、本発明は、列方向及び行方向に並んで格子状に整列している複数の第１のコンタクトを有する第１のコネクタと、
格子状に整列している複数の第２のコンタクトと該第２のコンタクトから延在する複数の導線部とを有する第２のコネクタとよりなり、
該第１のコネクタと該第２のコネクタとが接続されると、該第１のコンタクトと該第２のコンタクトとが電気的に接続されるコネクタ装置において、
上記第１のコネクタは、各第１のコンタクトをその両側から囲むように配置された、一対の半円形状又はこれに似た形状のグランドコンタクトを有し、
上記第２のコネクタは、各導線部を、その両側から囲むように配置された、一対の半円形状又はこれに似た形状のシールド部材を有する構成としたことを特徴とする。
【発明の効果】
【００２３】
上述の如く、本発明によれば、クロストークノイズの抑制及びインピーダンスの精度良い整合を実現できる。
【発明を実施するための最良の形態】
【００２４】
次に本発明の実施の形態について説明する。
【実施例１】
【００２５】
図１０は本発明の実施例１になるコネクタ装置１０Ｕを示す。各図中、図１乃至図９に示す構成部分と対応する構成部分には同じ符号を付す。
【００２６】
コネクタ装置１０Ｕは、プラグコネクタ２０Ｕとジャックコネクタ３０Ｕとよりなる。プラグコネクタ２０Ｕは、プラグコネクタ２０とはグランドコンタクト２５Ｕが相違し、ジャックコネクタ３０Ｕは、ジャックコネクタ３０とは、ハウジング３１Ｕのスリット３３Ｕが相違する
図１１に示すように、プラグコネクタ２０Ｕは、第１、３の列２７−１、２７−３についてはグランドコンタクト２５を有し、第２、４の列２７−２、２７−４についてはグランドコンタクト２５Ｕを有する。グランドコンタクト２５の水平板部２５ａは、そのグランドコンタクト２５が対向するプラグコンタクト対２３よりもＺ１側に位置している。グランドコンタクト２５Ｕの水平板部２５Ｕａは、そのグランドコンタクト２５Ｕが対向するプラグコンタクト対２３よりもＺ２側に位置している。
【００２７】
同じく、図１１に示すように、ジャックコネクタ３０Ｕは、スリット３３、３３Ｕがグランドコンタクト２５、２５Ｕに対応して形成してある。
【００２８】
プラグコネクタ２０Ｕとジャックコネクタ３０Ｕとは、前記と同じく接続される。図１２は図１０に示すコネクタ装置１０Ｕのプラグコネクタ２０Ｕとジャックコネクタ３０Ｕとが接続された状態における電気的接続部対６１に対するシールドの状態を示す。第１、３の列２７−１、２７−３は、シールドが開放状態になっている側が、Ｚ１側である。第２、４の列２７−２、２７−４は、シールドが開放状態になっている側が、Ｚ２側である。このように、シールドが開放状態になっている側が、一列毎に交互となっている。即ち、各列のＺ１、Ｚ２側の端を見ると、シールドが開放状態の列とシールドされている列とが交互に並んでいる。
【００２９】
よって、隣り合う列の端の部分の信号間でのクロストークの発生が抑制され、クロストークノイズの発生が抑制される。
【００３０】
図１３（Ａ）、（Ｂ）、（Ｃ）は、従来と同じくＬ字形状のグランドコンタクトを使用し、その配置を工夫することによってクロストークの発生を抑制した別の例を示す。図１３（Ａ）は通常の伝送に使用されるコネクタの例であり、図１３（Ｂ）、（Ｃ）は平衡伝送に使用されるコネクタの例である。２２，２２Ａ、２２Ｂはプラグコンタクト、２５Ａ，２５Ｂ，２５Ｃ，２５ＤはＬ字形状のグランドコンタクトである。対をなすプラグコンタクト２２Ａ、２２ＢはＸ１−Ｘ２である行の方向に並んでいる。
【実施例２】
【００３１】
図１４は本発明の実施例２になるコネクタ装置１０Ｖを示す。コネクタ装置１０Ｖは、プラグコネクタ２０Ｖとジャックコネクタ３０Ｖとよりなる。各図中、図１０に示す構成部分と対応する構成部分には同じ符号を付す。
【００３２】
プラグコネクタ２０Ｖは、図１５及び図２０（Ａ）に併せて示すように、断面がＵ字形のハウジング２１に、プラグコンタクト２２Ａ、２２Ｂよりなるプラグコンタクト対２３Ｖが列方向、行方向に並んで格子状に整列しており、且つ、各プラグコンタクト対２３毎に一対の半円筒形状のグランドコンタクト２５Ｖ１、２５Ｖ２が設けてある構成である。プラグコンタクト２２Ａ、２２Ｂはコンタクト対の行の方向（Ｘ１−Ｘ２方向）に並んでいる。グランドコンタクト２５Ｖ１、２５Ｖ２は共に半円筒形状であり、プラグコンタクト対２３Ｖを中心にＸ１及びＸ２側に対称に配置してあり、プラグコンタクト対２３ＶをＸ１及びＸ２側から囲んでいる。なお、グランドコンタクト２５Ｖ１はその中心をプラグコンタクト２２Ａと一致させて、グランドコンタクト２５Ｖ２はその中心をプラグコンタクト２２Ｂと一致させて配置してある。
【００３３】
ジャックコネクタ３０Ｖは、図１４に示すように、合成樹脂製のハウジング３１Ｖに複数のジャックコンタクトモジュール４０ＶがＸ１−Ｘ２方向に並んで組み込んである構成である。
【００３４】
図１５に示すように、ハウジング３１Ｖには、プラグコンタクト２２Ａ、２２Ｂに対応する開口３２Ａ、３２Ｂとグランドコンタクト２５Ｖ１、２５Ｖ２に対応する半円弧形状のスリット３３Ｖ１、３３Ｖ２が形成してある。
【００３５】
ジャックコンタクトモジュール４０Ｖは、図１４、図１６乃至図１９に示すように、一対のサブモジュール１００Ａ、１００Ｂが結合されており、この両側に複数のシールド部材１０２Ａ、１０２Ｂが取り付けられた構成である。
【００３６】
サブモジュール１００Ａは、図１６に示すように、略四角板形状の合成樹脂製の本体１０１Ａにジャックコンタクト部品４２ＶＡがインサートモールドしてある構成である。ジャックコンタクト部品４２ＶＡは、導線部４２ＶＡ１と、この一端のフォーク形状のジャックコンタクト４２ＶＡ２と、他端の端子部４２ＶＡ３とよりなる。サブモジュール１００Ｂは、略四角板形状の合成樹脂製の本体１０１Ｂにジャックコンタクト部品４２ＶＢがインサートモールドしてある構成である。ジャックコンタクト部品４２ＶＢは、導線部４２ＶＢ１と、この一端のフォーク形状のジャックコンタクト４２ＶＢ２と、他端の端子部４２ＶＢ３とよりなる。本体１０１Ａ、１０１Ｂのうち、導線部４２ＶＡ１、４２ＶＢ１に沿う部分は、断面が半円形状の突条部１０１Ａａ、１０１Ｂａとなっている。導線部４２ＶＡ１、４２ＶＢ１が導線部対４５Ｖを構成する。
【００３７】
シールド部材１０２Ａ、１０２Ｂは、図１６に示すように、上記の突条部１０１Ａａ、１０１Ｂａと一致するように湾曲してある半円筒形状を有し、Ｙ１側の端に、ばね性を有する舌状のシールド片１０２Ａａ、１０２Ｂａを有する。シールド部材１０２Ａは突条部１０１Ａａに嵌合してこれを覆って固定してある。シールド部材１０２Ｂは突条部１０１Ｂａに嵌合してこれを覆って固定してある。
【００３８】
ジャックコンタクトモジュール４０Ｖは、Ｙ１側の辺４０Ｖａに沿って、ジャックコンタクト対４４Ｕとシールド片１０２Ａａ、１０２Ｂａとを有し、Ｚ２側の辺４０Ｖｂに沿って、端子部４２ＶＡ３、４２ＶＢ３を有する。図２０（Ｂ）に示すように、ジャックコンタクト対４４Ｖは、Ｘ１−Ｘ２方向に並んでいるジャックコンタクト４２ＶＡ２と４２ＶＢ２とよりなる。シールド片１０２Ａａ、１０２Ｂａは、Ｘ１−Ｘ２方向に並んでおり、ジャックコンタクト対４４Ｖの両側に位置している。
【００３９】
ジャックコンタクト４２ＶＡ２、４２ＶＢ２は夫々開口３２Ａ、３２Ｂに対向している。シールド片１０２Ａａ、１０２Ｂａは夫々スリット３３Ｖ１、３３Ｖ２に対向している。
【００４０】
プラグコネクタ２０Ｖとジャックコネクタ３０Ｖとが接続されると、図１９（Ｃ）に示すように、プラグコンタクト２２Ａ、２２Ｂは開口３２Ａ、３２Ｂを貫通してハウジング３１Ｖの内部に到ってジャックコンタクト４２Ａ２、４２Ｂ２と嵌合して電気的に接続され、グランドコンタクト２５Ｖ１、２５Ｖ２はスリット３３Ｖ１、３３Ｖ２を貫通してハウジング３１Ｖの内部に到ってシールド片１０２Ａａ、１０２Ｂａと接触する。
【００４１】
次に、プラグコネクタ２０Ｖとジャックコネクタ３０Ｖとが接続された状態におけるコネクタ装置１０Ｖの内部の信号伝送路に対するシールドの状態について説明する。
【００４２】
（１）プラグコンタクト２２Ａ、２２Ｂとジャックコンタクト４２Ａ２、４２Ｂ２とが電気的に接続された部分について：
図２０（Ｃ）に示すように、プラグコンタクト２２Ａ、２２Ｂ、ジャックコンタクト４２Ａ２、４２Ｂ２及び電気的接続部６０Ａ，６０Ｂは、Ｘ１及びＸ２側から、半円筒形状のグランドコンタクト２５Ｖ１、２５Ｖ２によって囲まれている。グランドコンタクト２５Ｕ１は、プラグコンタクト２２Ａ、ジャックコンタクト４２Ａ２、及び電気的接続部６０Ａを、これらを中心として、角度α＝１８０度に亘って囲んでいる。グランドコンタクト２５Ｖ２は、プラグコンタクト２２Ｂ、ジャックコンタクト４２Ｂ２、及び電気的接続部６０Ｂを、これらを中心として、同じく角度α＝１８０度に亘って囲んでいる。他の信号対についても、同様にＸ１及びＸ２側から、半円筒形状のグランドコンタクト２５Ｖ１、２５Ｖ２によって囲まれている。
【００４３】
このように各信号対について、グランドコンタクト２５Ｖ１、２５Ｖ２によって囲まれているため、従来にくらべて、一つの列の端の信号対とこれの隣りの列の端の信号対の間でのクロストークの発生は抑制され、クロストークノイズの発生が抑制される。
【００４４】
また、グランドコンタクト２５Ｖ１、２５Ｖ２が半円筒形状であるため、プラグコンタクト２２Ａ及びジャックコンタクト４２Ａ２からのグランドコンタクト２５Ｖ１の内側面までの距離ａ１，ｂ１，ｃ１、及びプラグコンタクト２２Ｂ及びジャックコンタクト４２Ａ２からのグランドコンタクト２５Ｖ１の内側面までの距離ａ１，ｂ１，ｃ１が略等しくなる。よって、従来にくらべて、インピーダンスを目標とするインピーダンスとすることが容易となり、インピーダンスの整合を図ることが出来る。
【００４５】
（２）導線部４２ＶＡ１、４２ＶＢ１（導線部対４５Ｖ）の部分について：
図１９に示すように、対をなす導線部４２ＶＡ１、４２ＶＢ１は、Ｘ１及びＸ２側から、半円筒形状のシールド部材１０２Ａ、１０２Ｂによって囲まれている。他の信号対の導線部も、同様にＸ１及びＸ２側から、半円筒形状のシールド部材１０２Ａ、１０２Ｂによって囲まれている。
【００４６】
このように各信号対について、シールド部材１０２Ａ、１０２Ｂに一つの信号対とこれの隣りの信号対の間でのクロストークの発生は抑制され、クロストークノイズの発生が抑制される。
【００４７】
また、シールド部材１０２Ａ、１０２Ｂが半円筒形状であるため、導線部４２ＶＡ１からシールド部材１０２Ａの内側面までの距離ａ３，ｂ３，ｃ３、及び導線部４２ＶＡ２からシールド部材１０２Ｂの内側面までの距離ａ４，ｂ４，ｃ４が略等しくなる。よって、従来にくらべて、インピーダンスを目標とするインピーダンスとすることが容易となり、インピーダンスの整合を精度良く図ることが出来る。
【００４８】
よって、コネクタ装置１０Ｖは、従来のコネクタ装置に比べて、クロストークノイズの発生が抑制され、且つ、インピーダンスが精度良く整合された特性を有する。
【実施例３】
【００４９】
図２１は本発明の実施例３になるコネクタ装置１０Ｗを示す。コネクタ装置１０Ｗは、プラグコネクタ２０Ｖとジャックコネクタ３０Ｗとよりなる。各図中、図１０及び図１４に示す構成部分と対応する構成部分には同じ符号を付す。
【００５０】
コネクタ装置１０Ｗは、図１４に示す本発明の実施例３になるコネクタ装置１０Ｕとは、ジャックコネクタ３０Ｗが相違する。ジャックコネクタ３０Ｗは、ジャックコネクタ３０Ｖとは、ジャックコンタクトモジュール４０Ｗが相違する。
【００５１】
ジャックコンタクトモジュール４０Ｗは、シールド部材１０２Ａ、１０２Ｂの取り付けの構造が相違する。
【００５２】
ジャックコンタクトモジュール４０Ｗは、図２２、図２３、図２４に併せて示すように、一対のサブモジュール２００Ａ、２００Ｂが結合されており、この両側にシールドモジュール２１０Ａ、２１０Ｂが取り付けられた構成である。
【００５３】
サブモジュール２００Ａは、略四角板形状の合成樹脂製の本体２０１Ａにジャックコンタクト部品４２ＶＡがインサートモールドしてある構成であり、Ｘ１側の面に位置決めのための突条部２０１Ａａが導線部４２ＶＡ１に沿って形成してある。サブモジュール２００Ｂは、略四角板形状の合成樹脂製の本体２０１Ｂにジャックコンタクト部品４２ＶＢがインサートモールドしてある構成であり、Ｘ２側の面に位置決めのための突条部２０１Ｂａが導線部４２ＶＢ１に沿って形成してある。
【００５４】
シールドモジュール２１０Ａは、略四角板形状の合成樹脂製の本体２１１Ａに、図１６に示すシールド部材１０２Ａが複数個並んでインサートモールドしてある構成であり、Ｘ２側の面に位置決めのための溝２１１Ａａがシールド部材１０２Ａに沿って形成してある。シールドモジュール２１０Ｂは、略四角板形状の合成樹脂製の本体２１１Ｂに、図１６に示すシールド部材１０２Ｂが複数個並んでインサートモールドしてある構成であり、Ｘ１側の面に位置決めのための溝２１２Ａａがシールド部材１０２Ｂに沿って形成してある。インサートモールドは複数個のシールド部材がフレームにつながっている状態のシールド部材フレームに対して行われ、シールドモジュール２１０Ａ、２１０Ｂにおいて、各シールド部材１０２Ａ、１０２Ｂの配置の精度は高い。
【００５５】
図２４（Ａ），（Ｂ）に示すように、シールドモジュール２１０Ａは溝２０２Ａａを突条部２０１Ａａに嵌合させて位置決めされており、シールドモジュール２１０Ｂは溝２０２Ｂａを突条部２０１Ｂａに嵌合させて位置決めされており、各シールド部材１０２Ａ、１０２Ｂは対をなす導線部４２ＶＡ１、４２ＶＢ１（導線部対４５Ｖ）を、Ｘ１及びＸ２側から囲んでいる。
【００５６】
よって、コネクタ装置１０Ｗは、従来のコネクタ装置に比べて、クロストークノイズの発生が抑制され、且つ、インピーダンスが精度良く整合された特性を有する。
【００５７】
ここで、ジャックコンタクトモジュール４０Ｗは、シールドモジュール２１０Ａ、２１０Ｂを有する構成であるため、図１６のジャックコンタクトモジュール４０Ｖに比べて、組立てが簡単である。また、各シールド部材１０２Ａ、１０２Ｂの導線部４２ＶＡ１、４２ＶＢ１に対する位置の精度が高くなり、
よって、コネクタ装置１０Ｗは、図１４のコネクタ装置１０Ｖに比べて、インピーダンスが更に精度良く整合された特性を有する。
【００５８】
上記実施例１，２，３のコネクタ装置１０Ｕ、１０Ｖ、１０Ｗの特徴的な構造は、シングル信号を伝送する構造のコネクタ装置にも適用可能である。
【００５９】
また、上記コネクタ装置１０Ｖ、１０Ｗにおいて、半円筒形状のグランドコンタクト２５Ｖ１，２５Ｖ２、半円筒形状のシールド部材１０２Ａ，１０２Ｂに代えて、図２５に示す断面が共に略台形であるグランドコンタクト２５Ｓ１，２５Ｓ２及びシールド部材１０２Ｓ１，１０２Ｓ２を使用してもよい。
【産業上の利用可能性】
【００６０】
信号の伝送速度が例えば５〜１０ＧＨｚと高速である電算機等において、回路基板をバックプレーンに直接に接続する部分に適用できる。
【図面の簡単な説明】
【００６１】
【図１】従来のコネクタ装置を示す図である。
【図２】図１のプラグコネクタとジャックコネクタとの対向する面の構造を概略的に示す図である。
【図３】（Ａ）は図１中矢印ＩＩＩＡ方向からプラグコネクタを見た図、（Ｂ）はグランドコンタクトのプラグコンタクトに対する配置を示す斜視図である。
【図４】図１中矢印ＩＶ方向からプラグコネクタを見た図である。
【図５】図１中矢印Ｖ方向からジャックコネクタを見た図である。
【図６】プラグコネクタとジャックコネクタとを接続したときのコンタクトの電気的接続状態を示す図である。
【図７】プラグコネクタとジャックコネクタとの電気的接続部分を概略的に示す図である。
【図８】従来のジャックコネクタのジャックコンタクトモジュールの別の例を示す分解斜視図である。
【図９】図８中、ＩＸ−ＩＸ線に沿うジャックコンタクトモジュールの断面図である。
【図１０】本発明の実施例１のコネクタ装置を示す図である。
【図１１】図１０のプラグコネクタとジャックコネクタとの対向する面の構造を概略的に示す図である。
【図１２】プラグコネクタとジャックコネクタとの電気的接続部分を概略的に示す図である。
【図１３】プラグコネクタの変形例を示す図である。
【図１４】本発明の実施例２のコネクタ装置を示す図である。
【図１５】図１４のプラグコネクタとジャックコネクタとの対向する面の構造を概略的に示す図である。
【図１６】ジャックコンタクトモジュールを示す分解斜視図である。
【図１７】ジャックコンタクトモジュールを示す図である。
【図１８】図１７（Ｂ）中、円で囲んだ部分を示す図である。
【図１９】図１６中、ＸＩＸ−ＸＩＸ線に沿う拡大断面図である。
【図２０】プラグコネクタとジャックコネクタとの電気的接続部分を概略的に示す図である。
【図２１】本発明の実施例３のコネクタ装置を示す図である。
【図２２】図２１のプラグコネクタとジャックコネクタとの対向する面の構造を概略的に示す図である。
【図２３】ジャックコンタクトモジュールを分解して示す斜視図である。
【図２４】図２１中、ＸＸＩＶ−ＸＸＩＶ線に沿うジャックコンタクトモジュールの拡大断面図である。
【図２５】グランドコンタクト及びシールド部材の変形例の断面の形状を示す図である。
【符号の説明】
【００６２】
１０Ｕ，１０Ｖ，１０Ｗ  コネクタ装置
２０Ｕ，２０Ｖ，２０Ｗ  プラグコネクタ
２２Ａ、２２Ｂ  プラグコンタクト
２３、２３Ｖ  プラグコンタクト対
２５、２５Ｕ、２５Ｖ１，２５Ｖ２、２５Ｓ１，２５Ｓ２  グランドコンタクト
３０Ｕ，３０Ｖ，３０Ｗ  プラグコネクタ
３３、３３Ｕ、３３Ｖ１、３３Ｖ２  スリット
４０Ｖ、４０Ｗ  ジャックコンタクトモジュール
４２ＶＡ、４２ＶＢ  ジャックコンタクト部品
４２ＶＡ１、４２ＶＢ１  導線部
４５Ｖ  導線部対
１００Ａ、１００Ｂ、２００Ａ、２００Ｂ  サブモジュール
１０２Ａ、１０２Ｂ、１０２Ｓ１，１０２Ｓ２  シールド部材
２１０Ａ、２１０Ｂ  シールドモジュール
【図１】
2005190820.tif 000003
【図２】
2005190820.tif 000004
【図３】
2005190820.tif 000005
【図４】
2005190820.tif 000006
【図５】
2005190820.tif 000007
【図６】
2005190820.tif 000008
【図７】
2005190820.tif 000009
【図８】
2005190820.tif 000010
【図９】
2005190820.tif 000011
【図１０】
2005190820.tif 000012
【図１１】
2005190820.tif 000013
【図１２】
2005190820.tif 000014
【図１３】
2005190820.tif 000015
【図１４】
2005190820.tif 000016
【図１５】
2005190820.tif 000017
【図１６】
2005190820.tif 000018
【図１７】
2005190820.tif 000019
【図１８】
2005190820.tif 000020
【図１９】
2005190820.tif 000021
【図２０】
2005190820.tif 000022
【図２１】
2005190820.tif 000023
【図２２】
2005190820.tif 000024
【図２３】
2005190820.tif 000025
【図２４】
2005190820.tif 000026
【図２５】
2005190820.tif 000027